(57)【要約】【課題】使い捨て仕様の化粧ブラシを１本ごとに簡易包装し、開封分離後の包装体の一部を把持片とて残存させることにより実用性を改善し、廃棄処分の際の分別を容易にする。【解決手段】軸体31の先端にブラシ又は筆穂（作用部32に同じ。）を設けた使い捨て仕様の化粧ブラシ３を１本ごとに簡易包装した化粧用分包ブラシＸが、偏平な袋状に形成した包装体１の体部断面方向に開封用の破断線２を形設し、該破断線２に対して化粧ブラシ３の長手方向を交叉配置して収容するとともに、破断線２を境とする片側の被包内面に軸体31の大半を接着固定して一体化してなるものである。使用時に、破断線２に沿って開封することにより、包装体１の一部(22)を分離除去して作用部32を露出させ、かつ、軸体31と一体化した片側の包装体21を残存させて把持片(21)とする。【選択図】      図１
2006036338.tif 000002
【特許請求の範囲】
【請求項１】
軸体の先端にブラシ又は筆穂からなる作用部を設けた使い捨て仕様の化粧ブラシを１本ごとに簡易包装した化粧用分包ブラシであって、
偏平な袋状に形成した包装体の体部断面方向に開封用の破断線を形設し、該破断線に対して化粧ブラシの長手方向を交叉配置して収容するとともに、前記破断線を境とする片側の被包内面に軸体の大半を接着固定して一体化してなり、
前記破断線に沿って開封することにより、前記包装体の一部を分離除去して作用部を露出させ、かつ、前記軸体と一体化した片側の包装体を残存させて把持片とするようにしたことを特徴とする化粧用分包ブラシ。
【請求項２】
軸体の先端にブラシ又は筆穂からなる作用部を設けた使い捨て仕様の化粧ブラシを１本ごとに簡易包装した化粧用分包ブラシであって、
偏平な袋状に形成した包装体の体部断面方向に開封用の破断線を形設し、該破断線に対して化粧ブラシの長手方向を交叉配置して収容するとともに、前記破断線を境とする片側領域の被包内面に軸体の大半を接着固定して一体化し、かつ、反対側領域の被包内面に作用部を非接着状態で臨ませてなり、
前記破断線に沿って開封することにより、前記反対側領域の包装体を分離除去して前記作用部を露出させ、かつ、前記片側領域の包装体を前記軸体と一体化した把持片として残存させるようにしたことを特徴とする化粧用分包ブラシ。
【請求項３】
展開図とした包装体が一のブランクからなる全面粘着シートであって、破断線を境とする片側領域及び反対側領域からなる被包基面と、該反対側領域を縮小した折り返し片とを連成するとともに、該折り返し片を谷折りして前記反対側領域に重合することによりシート周縁に糊代を残して非接着面を部分形成して被包内面をシール構成したものであり、前記被包内面に化粧ブラシを載置し、該化粧ブラシを介して２分するように折り曲げ、かつ、その周縁を重合してなる請求項１又は２記載の化粧用分包ブラシ。
【請求項４】
展開図とした包装体が部分粘着シートであって、糊代となるシート周縁及び破断線を境とする片側領域を接着面とし、前記シート周縁を除く反対側領域を非接着面として被包内面をシール構成したものであり、前記被包内面に化粧ブラシを載置し、該化粧ブラシを介して２分するように折り曲げ、かつ、その周縁を重合してなる請求項１又は２記載の化粧用分包ブラシ。
【請求項５】
展開図とした包装体が一のブランクからなる帯状の部分粘着シートであって、糊代となるシート周縁及び破断線を境とする片側領域を接着面とし、前記シート周縁を除く反対側領域を非接着面としてテープ構成したものであり、前記片側領域の帯端を巻回始端として軸体の先端側上面に接着固定し、化粧ブラシの長手方向に前記軸体の後端から作用部を経由させてループ形成し、その終端である前記反対側領域の帯端を前記始端に重合し、かつ、剥離可能に貼着して封緘部を設けるとともに、前記化粧ブラシの背面側に該封緘部又は前記始端と上下関係位置を対応させて前記破断線を配置してなり、
前記封緘部を剥離開封することにより前記作用部を露出させ、かつ、剥離した前記反対側領域のシートを前記破断線に沿って分離除去するようにした請求項１又は２記載の化粧用分包ブラシ。
【発明の詳細な説明】
【技術分野】
【０００１】
本発明は、軸体の先端にブラシ又は筆穂（以下、作用部。）を設けた使い捨て仕様の化粧ブラシを１本ごとに簡易包装した化粧用分包ブラシに関する。
【背景技術】
【０００２】
従来より、デパートの化粧品売場等でアイシャドウや口紅などの試し塗りをしながら対面販売をする際に使い捨てのテストブラシを使用しており、共通の軸体に付け替え可能な多数の作用部を部材構成して各別に取り出せるように包装したものがあった。例えば、台紙に多数の作用部（部材）を並べて波形に断面形成した樹脂フィルムを被封し、台紙側から開封して波形の空間部に収納した作用部（部材）を個別に取り出すようにしている。
【０００３】
こうした収納形態は、物品の包装という点で、卑近には筆記具や家電パーツの包装にみられる（例えば、特許文献１及び２を参照。）。また、カプセルや錠剤を分包した薬剤の包装についても似たような形式のものが多くみられる。しかしながら、いずれも内容物の保護には違いないが、包装を解いて内容物を丸ごと取り出すことが前提であり、当然のことながら包装体と内容物とは分離可能でなければならない。
【特許文献１】特開平１０−２５０７７１号公報
【特許文献２】特開平７−２５１８５９号公報
【０００４】
一方、化粧ブラシの包装という点では、携帯用メーキャップセットといった類のものしか見当たらない。（例えば、特許文献３を参照）。
【特許文献３】特開平２００２−３４５５４９号公報
【発明の開示】
【発明が解決しようとする課題】
【０００５】
解決しようとする問題点は、より廉価に製造可能な使い捨て化粧ブラシ（テストブラシに同じ。）を衛生的に個別包装し、かつ、その包装体を利用して操作性を向上することである。〔以下、実用性の改善。〕また、廃棄処分の際の分別の手軽さを改善することである。〔以下、環境問題への配慮。〕また、包装体への印刷により取り扱いや商品等表示に関する種々の情報を表示可能とし、かつ、ノベルティとしての商品展開を図ることである。〔以下、ノベルティグッズ。〕
【０００６】
本発明はこのような事情に鑑みなされたものであって、上記課題を解消し、使い捨て仕様の化粧ブラシを１本ごとに簡易包装し、開封分離後の包装体の一部を把持片とて残存させるようにした化粧用分包ブラシを提供するものである。
【課題を解決するための手段】
【０００７】
課題を解決するために本発明は、軸体の先端にブラシ又は筆穂（作用部に同じ。）を設けた使い捨て仕様の化粧ブラシを１本ごとに簡易包装した化粧用分包ブラシであって、
偏平な袋状に形成した包装体の体部断面方向に開封用の破断線を形設し、該破断線に対して化粧ブラシの長手方向を交叉配置して収容するとともに、前記破断線を境とする片側の被包内面に軸体の大半を接着固定して一体化してなり、
前記破断線に沿って開封することにより、前記包装体の一部を分離除去して作用部を露出させ、かつ、前記軸体と一体化した片側の包装体を残存させて把持片とするようにしたことを特徴とするものである。
【発明の効果】
【０００８】
本発明によれば、アイシャドウブラシやリップブラシとしての廉価で衛生的なテストブラシを提供でき、その包装体を利用して操作性を含む実用性を改善し、環境問題への配慮に関し廃棄の際の分別が容易である。また、包装体への印刷による種々の情報を表示可能であり、ノベルティグッズとしても利用価値がある。
【発明を実施するための最良の形態】
【０００９】
本発明の実施の最良形態は、図１に基本的な包装状態と開封状態を示すように、上記構成において、偏平な袋状に形成した包装体１の体部断面方向に開封用の破断線２を形設し、該破断線２に対して化粧ブラシ３の長手方向を交叉配置して収容するとともに、破断線２を境とする片側領域21の被包内面(111) に軸体31の大半を接着固定して一体化し、かつ、反対側領域22の被包内面(111) に作用部32を非接着状態で臨ませている。
【００１０】
そして、破断線２に沿って開封することにより、反対側領域22の包装体１を分離除去して作用部32を露出させ、かつ、片側領域21の包装体１を軸体31と一体化した把持片(21)として残存させるようにしている。
【００１１】
ここで、軸体は樹脂製又は紙製であり、作用部は獣毛又は化繊又は発泡ウレタンで形成されている。
【００１２】
本発明の一実施例について添付図面を参照して以下説明する。
【実施例１】
【００１３】
図２は、第１実施例ブラシの構成説明図である。（ａ）〜（ｄ）に製造工程を示し、（ｅ）に開封状態を示している。
【００１４】
図示するように、展開図とした包装体１が一のブランクからなる全面粘着シート11であって、破断線２を境とする片側領域21及び反対側領域22からなる被包基面111 と、該反対側領域22を縮小した折り返し片112 とを連成するとともに、該折り返し片112 を谷折りして反対側領域22に重合することによりシート周縁に糊代221 を残して非接着面(22)を部分形成して被包内面111 をシール構成している。
【００１５】
そして、被包内面111 に化粧ブラシ３を載置し、該化粧ブラシ３を介して２分するように折り曲げ、かつ、その周縁を重合することにより包装する。
【００１６】
使用時には、破断線２に沿って開封することにより、反対側領域22の包装体１を分離除去して作用部32を露出させ、かつ、片側領域21の包装体１を軸体31と一体化した把持片(21)として残存させるようにしている。
【００１７】
廃棄時には、構成部材を紙製要素（可燃ごみ）と樹脂製要素（プラスチックごみ）に分別が容易である。図２では、包装体１の片側領域21（軸体31側）に無粘着のフラップ113 を形成しておくことにより、軸体31と把持片(21)の分離を容易にしている。
【実施例２】
【００１８】
図３は、第２実施例ブラシの包装体を示す展開図である。
【００１９】
図示するように、展開図とした包装体１が部分粘着シート12であって、糊代221 となるシート周縁及び破断線２を境とする片側領域21を接着面とし、シート周縁を除く反対側領域22を非接着面として被包内面121 をシール構成している。
【００２０】
そして、被包内面121 に化粧ブラシ３を載置し、該化粧ブラシ３を介して２分するように折り曲げ、かつ、その周縁を重合することにより包装する。
【００２１】
使用時には、破断線２に沿って開封することにより、反対側領域22の包装体１を分離除去して作用部32を露出させ、かつ、片側領域21の包装体１を軸体31と一体化した把持片(21)として残存させるようにしている。〔図１を参照〕
【００２２】
廃棄時には、構成部材を紙製要素（可燃ごみ）と樹脂製要素（プラスチックごみ）に分別が容易である。
【実施例３】
【００２３】
図４は、第３実施例ブラシの包装体を示す展開図である。
【００２４】
図５は、第３実施例ブラシの構成を示す断面視説明図である。
【００２５】
図示するように、展開図とした包装体１が一のブランクからなる帯状の部分粘着シート13であって、糊代221 となるシート周縁及び破断線２を境とする片側領域21を接着面とし、シート周縁を除く反対側領域22を非接着面としてテープ構成したものである。
【００２６】
そして、片側領域21の帯端を巻回始端として軸体31の先端側上面に接着固定し、化粧ブラシ３の長手方向に軸体31の後端から作用部32を経由させてループ形成し、その終端である反対側領域22の帯端を始端に重合し、かつ、剥離可能に貼着して封緘部132 を設けるとともに、化粧ブラシ３の背面側に該封緘部132 又は前記始端と上下関係位置を対応させて破断線２を配置した構成とされる。
【００２７】
使用時には、封緘部132 を剥離開封することにより作用部32を露出させ、かつ、剥離した反対側領域22のシートを破断線２に沿って分離除去し、片側領域21の包装体１を軸体31と一体化した把持片(21)として残存させるようにしている。
【００２８】
廃棄時には、構成部材を紙製要素（可燃ごみ）と樹脂製要素（プラスチックごみ）に分別が容易である。
【産業上の利用可能性】
【００２９】
本発明の化粧用分包ブラシは量産可能であり、生産コスト及び廃棄コストを低減するものであり、使い捨て仕様でありながら無駄な資源消費となる要素を極力排除したものとなっており、斯界にとって実用上有益である。
【図面の簡単な説明】
【００３０】
【図１】本発明の化粧用分包ブラシの基本的な包装状態と開封状態を示す説明図である。
【図２】第１実施例ブラシの構成説明図であり、（ａ）〜（ｄ）に製造工程を示し、（ｅ）に開封状態を示している。
【図３】第２実施例ブラシの包装体を示す展開図である。
【図４】第３実施例ブラシの包装体を示す展開図である。
【図５】第３実施例ブラシの構成を示す断面視説明図である。
【符号の説明】
【００３１】
１  包装体
11  全面粘着シート
111 被包基面（又は被包内面）
112 折り返し片
113 フラップ
12  部分粘着シート
121 被包内面
13  部分粘着シート〔帯状〕
131 被包内面
132 封緘部
２  破断線
21  片側領域（接着面；把持片）
22  反対側領域（非接着面）
221 糊代
３  化粧ブラシ
31  軸体
32  作用部
Ｘ  化粧用分包ブラシ
【図１】
2006036338.tif 000003
【図２】
2006036338.tif 000004
【図３】
2006036338.tif 000005
【図４】
2006036338.tif 000006
【図５】
2006036338.tif 000007